(57)【要約】      （修正有）【課題】前方座席のヘッドレストを有効活用して、簡易に、表示装置などの電子機器を後付するこができる取付装置を提供する。【解決手段】表示装置ＤＰのスライド溝ＳＬに係合して移動可能なベース部材１と、ヘッドレストＲＥの支持棒ＢＡＲに規制されて位置決め移動可能なアーム部材２と、ヒンジ部材ＨＧを通してベース部材に接続される揺動部材３と、を有する。ベース部材１は、スライド溝の下方に配置される内側板と、スライド溝の上方に配置される外側板と、内側板から外側板を貫通して外方に突出する突出ネジと、突出ネジに螺号されるナット部材とを介して、表示装置に固定される。【選択図】図１
0003199796.tif 000002
【実用新案登録請求の範囲】
【請求項１】
電子機器を保持する保持部材（ＨＤ）に形成された装着溝（ＳＬ）、又は電子機器（ＤＰ）に形成された装着溝（ＳＬ）に係合して、保持部材（ＨＤ）又は電子機器（ＤＰ）の面方向に移動可能に構成されたベース部材（１）と、
自動車のヘッドレストの支持棒（ＢＡＲ）に規制されて上下方向に、位置決め移動可能な一対のアーム部材（２，２）と、
適宜なヒンジ部材（ＨＧ）を通して前記ベース部材（１）に接続された揺動部材（３）と、を有して構成され、
前記装着溝（ＳＬ）は、保持部材（ＨＤ）又は電子機器（ＤＰ）に形成された開口穴（ＯＰＮ）と、この開口穴（ＯＰＮ）を不完全に塞いで前記装着溝（ＳＬ）を形成する閉塞板（ＰＴ）と、で形成され、
前記ベース部材（１）は、閉塞板（ＰＴ）の内側に配置される内側板（１０）と、閉塞板（ＰＴ）の外側に配置される外側板（１１）と、を有し、内側板（１０）と外側板とで閉塞板を把持することで、前記ベース部材（１）を閉塞板（ＰＴ）に固定するよう構成されている電子機器の取付装置。
【請求項２】
前記揺動部材（３）には、前記アーム部材（２，２）の位置決め移動が可能な長穴（ＨＯ）が形成されている請求項１に記載の電子機器の取付装置。
【請求項３】
前記外側板（１１）には、直線状の装着溝（ＳＬ）に沿った通過長穴（１２）が形成されている請求項１又は２に記載の電子機器の取付装置。
【請求項４】
前記アーム部材（２）は、ヘッドレストの支持棒ＢＡＲを貫通させる受入穴（２１）を設けた本体板と、受入穴の内周に突出可能に配置された第１ネジ部材（２３）と、本体板に略直立して配置されることで、前記アーム部材２，２の位置決め位置を規定する第２ネジ部材（２２）と、を有して構成され、
第１ネジ部材と第２ネジ部材を緩めることで、前記アーム部材（２）と前記揺動部材（３）との位置関係や、アーム部材（２）と前記支持棒（ＢＡＲ）との位置関係が調整可能となり、ヘッドレスト（ＲＥ）に対する上下位置や、ヘッドレスト（ＲＥ）との離間距離を任意に設定できるよう構成されている請求項１〜３の何れかに記載の電子機器の取付装置。
【請求項５】
自動車のヘッドレストの支持棒（ＢＡＲ）が貫通可能な円筒穴（５０）を設けた箱状の化粧部材（ＭＫ）を、更に有して構成され、
前記支持棒ＢＡＲが貫通可能な受入穴（ＣＲ）を、前記円筒穴（５０）に整合する位置に設けた連結部（６０）を、前記揺動部材（３）と共に前記化粧部材（ＭＫ）に固定することで、前記化粧部材の揺動動作を実現すると共に、
前記受入穴と円筒穴が、前記アーム部材（２）として機能している請求項１に記載の取付装置。
【請求項６】
請求項１〜請求項５の何れかに記載の取付装置で保持された電子機器。
【考案の詳細な説明】
【技術分野】
【０００１】
本考案は、表示装置やタブレット端末などの電子機器を、自動車のヘッドレストなどに、後付することもできる取付装置及び電子機器に関する。
【背景技術】
【０００２】
例えば、タクシーや自家用車で長距離を移動するような場合、後部座席において、テレビの生番組や、録画済みの映画などを観ることができると移動時間を有効活用することができる。また、タブレット端末によって、インターネットを活用して各種の情報を得つつ、自動車旅行するのも楽しみが増すと思われる。
【０００３】
このような場合、前方座席の背面側やヘッドレストを利用して、表示装置やタブレット端末を自動車に固定することが考えられる（例えば、特許文献１〜特許文献４）。
【先行技術文献】
【特許文献】
【０００４】
【特許文献１】特開２０１３−１２３９７６号公報
【特許文献２】特開２００６−０２１５８４号公報
【特許文献３】特開２００５−０７７７１６号公報
【特許文献４】特開２００５−０６７５５５号公報
【考案の概要】
【考案が解決しようとする課題】
【０００５】
しかし、特許文献１や特許文献４に記載の考案は、ヘッドレストそのものの改造が必要であって、購入後の自動車に対して、電子機器を後付けできるものではない。この点は、特許文献２に記載の考案についてもほぼ同様であり、この考案は、座席シートの背部材に設置される構成であって、事後的に自動車ユーザが設置できる構成ではない。また、特許文献３に記載の考案は、構造が複雑であって、著しく簡易性に欠ける。
【０００６】
本考案は、上記の問題点に鑑みてなされたものであって、前方座席のヘッドレストを有効活用して、簡易に、電子機器を後付するこができる取付装置を提供することを目的とする。
【課題を解決するための手段】
【０００７】
上記の目的を達成するため、本考案は、電子機器を保持する保持部材（ＨＤ）に形成された装着溝（ＳＬ）、又は電子機器（ＤＰ）に形成された装着溝（ＳＬ）に係合して、保持部材（ＨＤ）又は電子機器（ＤＰ）の面方向に移動可能に構成されたベース部材（１）と、自動車のヘッドレストの支持棒（ＢＡＲ）に規制されて上下方向に、位置決め移動可能な一対のアーム部材（２，２）と、適宜なヒンジ部材（ＨＧ）を通して前記ベース部材（１）に接続された揺動部材（３）と、を有して構成され、前記装着溝（ＳＬ）は、保持部材（ＨＤ）又は電子機器（ＤＰ）に形成された開口穴（ＯＰＮ）と、この開口穴（ＯＰＮ）を不完全に塞いで前記装着溝（ＳＬ）を形成する閉塞板（ＰＴ）と、で形成され、前記ベース部材（１）は、閉塞板（ＰＴ）の内側に配置される内側板（１０）と、閉塞板（ＰＴ）の外側に配置される外側板（１１）と、を有し、内側板（１０）と外側板とで閉塞板を把持することで、前記ベース部材（１）を閉塞板（ＰＴ）に固定するよう構成されている。なお、装着溝は、実施例のスライド溝や取付溝を含む概念である。
【０００８】
好ましくは、内側板（１０）と外側板（１１）を連結するネジ部材を設け、このネジ部材を利用して、内側板（１０）と外側板（１１）で閉塞板（ＰＴ）を把持することになる。また、好ましくは、前記揺動部材（３）には、前記アーム部材（２，２）の位置決め移動が可能な長穴（ＨＯ）が形成されている。また、前記外側板（１１）には、直線状の装着溝（ＳＬ）に沿った通過長穴（１２）が形成されているのが好ましい。
【０００９】
更に好ましくは、前記アーム部材（２）は、ヘッドレストの支持棒ＢＡＲを貫通させる受入穴（２１）を設けた本体板と、受入穴の内周に突出可能に配置された第１ネジ部材（２３）と、本体板に略直立して配置されることで、前記アーム部材２，２の位置決め位置を規定する第２ネジ部材（２２）と、を有して構成され、第１ネジ部材と第２ネジ部材を緩めることで、前記アーム部材（２）と前記揺動部材（３）との位置関係や、アーム部材（２）と前記支持棒（ＢＡＲ）との位置関係が調整可能となり、ヘッドレスト（ＲＥ）に対する上下位置や、ヘッドレスト（ＲＥ）との離間距離を任意に設定できるよう構成されるべきである。
【００１０】
また、自動車のヘッドレストの支持棒（ＢＡＲ）が貫通可能な円筒穴を設けた箱状の化粧部材（ＭＫ）を、更に有して構成され、前記支持棒ＢＡＲが貫通可能な受入穴を、前記円筒穴に整合する位置に設けた連結部（６０）を、前記揺動部材と共に前記化粧部材に固定することで、前記化粧部材の揺動動作を実現すると共に、前記受入穴と円筒穴が、前記アーム部材として機能しているのも好ましい。
【考案の効果】
【００１１】
上記した本考案によれば、前方座席のヘッドレストを有効活用して、簡易に、電子機器を後付するこができる取付装置を実現できる。
【図面の簡単な説明】
【００１２】
【図１】実施例に係る取付装置ＦＸの概略構成を説明する図面である。
【図２】取付装置ＦＸの構成部材を説明する図面である。
【図３】揺動部材とアーム部材の位置関係を説明する図面である
【図４】位置決め操作を説明する図面である。
【図５】他の実施例を説明する図面である。
【図６】更に別の実施例を説明する図面である。
【考案を実施するための形態】
【００１３】
以下、実施例について更に詳細に説明する。図１（ａ）や図１（ｄ）は、実施例に係る取付装置ＦＸを使用して、ヘッドレストＲＥの後方に、表示装置ＤＰを配置した取付状態を示す概略図である。この取付状態において、表示装置ＤＰの取付角度は、ヒンジ部材ＨＧを回転中心にして、図示の時計方向又は反時計方向に適宜に変更可能である。
【００１４】
また、本実施例の場合、図示の取付状態に至るまでの位置決めタイミングでは、取付装置ＦＸに保持された表示装置ＤＰは、ヘッドレストＲＥの支持棒ＢＡＲに沿って上下移動可能であり、また、表示装置ＤＰの左右両端を、交互に引張操作してジグザグ移動させることで、ヘッドレストＲＥとの離間距離を適宜に調整することができる。
【００１５】
すなわち、本実施例の取付装置ＦＸによれば、表示装置ＤＰを、ヘッドレストＲＥの背面に接触させる取付状態（図１（ａ）〜（ｂ）参照）と、図１（ｂ）の取付位置から後方に更に移動させた取付状態（図１（ｃ）参照）と、ヘッドレストＲＥの背面下方に連続させる取付状態（図１（ｄ）〜（ｆ）参照）と、取付位置を図１（ｆ）より後方に更に移動させた取付状態（図１（ｇ）参照）の何れかを任意に選択することができる。
【００１６】
なお、図１（ｆ）や図１（ｇ）には、表示装置ＤＰの背面が現れているが、実際には、表示装置ＤＰが、前方座席の背面シートに接触するので、表示装置ＤＰの背面が露出することはない。
【００１７】
何れにしても、実施例の取付装置ＦＸは、図１（ｇ）や図１（ｈ）に示す通り、表示装置ＤＰの背面に形成されたスライド溝ＳＬに沿って位置決め移動可能なベース部材１と、ヘッドレストＲＥの支持棒ＢＡＲに規制されて上下方向に位置決め移動可能な一対のアーム部材２，２と、アーム部材２，２の基端を保持する長穴ＨＯを設けた横長板状の揺動部材３と、揺動部材３とベース部材１をヒンジ結合するヒンジ部材ＨＧと、を有して構成されている。
【００１８】
位置決め時には、アーム部材２の基端が揺動部材３に軸支されることで、一対のアーム部材２，２のジグザグ移動が可能となり、ベース部材１のスライド移動や、アーム部材２の上下移動と協働して上記した各種の取付姿勢が実現される。なお、図１（ａ）と図１（ｄ）から確認できる通り、ベース部材１と表示装置ＤＰの位置関係は、ベース部材１を垂直上方に向ける図１（ａ）の取付状態と、ベース部材１を垂直下方に向ける図１（ｄ）取付状態に大別される。
【００１９】
ヒンジ部材ＨＧは、自動車の振動に拘らず表示装置ＤＰの回動位置が変化しないトルクヒンジが好適に使用される。そのため、ヒンジ結合されたベース部材１や揺動部材３に、ある程度以上の力を加えない限り、ヒンジ部材ＨＧを揺動させることはできず、使用状態において自動車が強く振動しても表示装置ＤＰが回動するおそれはない。
【００２０】
図２は、取付装置ＦＸの構成部材を詳細に示す図面である。図２（ｄ）に示す通り、表示装置ＤＰのスライド溝ＳＬは、表示装置ＤＰの背面側に形成された開口穴ＯＰＮと、この開口穴ＯＰＮを塞いで直線状のスライド溝ＳＬを略Ｔ字状に形成する断面Ｌ字状の閉塞板ＰＴと、で形成されている。なお、図２（ｂ）や図２（ｃ）に現れる通り、スライド溝ＳＬは、挿入開口ＲＶを形成する基端から、Ｔ字状の先端まで真っ直ぐに延び、その全長が表示装置の高さの２／３程度に設定されている。
【００２１】
図２（ｃ）に分解状態を示す通り、ベース部材１は、挿入開口ＲＶより幅狭でスライド溝ＳＬより幅広の薄板材に、２本の突出ネジＰＲを突出させた内側板１０と、閉塞板ＰＴと同程度の左右幅を有する外側板１１と、突出ネジＰＲに対応する２本のナット部材ＮＴと、を有して構成されている。
【００２２】
また、外側板１１には、突出ネジＰＲより大径の通過長穴１２が２つ形成されている。そして、通過長穴１２から突出した突出ネジＰＲに、ナット部材ＮＴを螺合させ、その締め込み深さを調整することで、外側板１１と内側板１０の上下距離を調整するようになっている。また、通過長穴１２には、長さ方向に適宜な余裕があるので、外側板１１と内側板１０の水平方向の相対関係についても、ある程度調整することができる。
【００２３】
ヒンジ部材ＨＧは、図２（ｆ）に示す通り、第１取付板４１と、第２取付板４２と、第１取付板４１と第２取付板４２を揺動可能に接続する円筒接続部４０と、を有して構成されている。ここで、第１取付板４１は、外側板１１の上面に固定され、第２取付板４２は、揺動部材３の裏面に固定されている。
【００２４】
図３は、揺動部材２とアーム部材２の構成と、互いの係合関係を説明する図面である。図３（ｂ）に示す通り、揺動部材３は、横長の板材で構成された本体板３０の左右に、位置決め用の長穴ＨＯを２つ設けると共に、本体板３０の中央基端（図示上側）に、ネジ穴３１を２つ設けて構成されている。そして、本体板３０の背面に、ヒンジ部材ＨＧの第２取付板４２を配置し、第２取付板４２を通過して、揺動部材３のネジ穴３１に、取付ネジ３２をネジ込むことで、揺動部材３とヒンジ部材ＨＧとが一体化される（図３（ａ）参照）。
【００２５】
この実施例の場合、位置決め用の長穴ＨＯは、水平方向に延びる水平長穴Ｈ１と、水平長穴Ｈ１の外方終端から直交方向に連続する連続穴Ｈ２とを有して、全体として、略Ｌ字状に形成されている。位置決め時には、この略Ｌ字形状の何れかの位置で、アーム部材２の基端が軸支されるので、表示装置の左右端を、交互に引張操作することによって、ヘッドレストの支持棒ＢＡＲとの水平離間距離を適宜に調整することができる。
【００２６】
アーム部材２，２は、各々、小判状の板材で構成され、図３（ｅ）に示すように、基端側にネジ穴２０を設けると共に、先端側に円筒部２１を設けて構成されている。そして、ネジ穴２０には、揺動部材３の長穴ＨＯを通過して、ボルト部材２２が螺合されている。
【００２７】
ここで、ボルト部材２２の軸部ＡＸは、長穴ＨＯの幅より小径であるが、その頭部ＢＧは、長穴ＨＯの幅より大径に構成され、頭部ＢＧの深さ方向に六角穴が形成されている。位置決め時には、六角レンチを使用してボルト部材２２をやや緩めることで、ボルト部材２２の頭部ＢＧと、揺動部材３との間に隙間を形成する。
【００２８】
すると、ボルト部材２２が位置決め用の長穴ＨＯを自由に移動することが可能となり、ボルト部材２２が枢軸として機能して、アーム部材２，２のジグザグ移動を実現する交互引張操作が可能となる。そして、最適に位置決めされた後、六角レンチを使用してボルト部材２２をアーム部材２のネジ穴２０に締め込むことで、表示装置ＤＰの取付状態が固定され安定化する。
【００２９】
図３（ｅ）に示す通り、アーム部材２の円筒部２１は、他の部分より肉厚に形成され、円筒部２１の外周から内周に貫通して、調整ネジ２３が螺合されている。円筒部２１は、ヘッドレストの支持棒ＢＡＲを受け入れる部分である。そして、左右のアーム部材２，２の円筒部２１，２１に、支持棒ＢＡＲ，ＢＡＲを受け入れ、左右のアーム部材２，２の高さ位置を最適に設定した後、調整ネジ２３を限界まで締め込むと、アーム部材２とヘッドレストの支持棒ＢＡＲとが一体化され、表示装置ＤＰの高さ位置が確定されることになる。
【００３０】
なお、調整ネジ２３の頭部には、六角穴が形成されており、六角レンチを回動操作して、締め込み量を調整するようになっている。なお、この点は、先に説明したボルト部材２２と同様であり、本実施例ではドライバを使用することなく、ドライバより小型軽量の六角レンチだけで位置決め操作を完了することができる。
【００３１】
続いて実施例の取付装置ＦＸの使用方法について説明する。先ず、ヘッドレストＲＥの背面位置に、表示装置ＤＰを配置するか、それとも、ヘッドレストＲＥの下方に表示装置を配置するのかに応じて、ベース部材１のスライド溝ＳＬへの挿入姿勢を決定する。
【００３２】
具体的には、図１（ａ）と図１（ｄ）に示す通りであり、ヘッドレストＲＥの背面に表示装置ＤＰを配置する場合は、ベース部材１がヒンジ部材ＨＧから立ち上るようスライド溝ＳＬにベース部材１を挿入し、逆に、ヘッドレストＲＥの下方に配置する場合は、ベース部材１がヒンジ部材ＨＧから降下するようスライド溝ＳＬにベース部材１を挿入する。なお、この挿入操作において、スライド溝ＳＬへの挿入量を、適宜に設定することで、表示装置ＤＰの配置位置を調整できることは、先に説明した通りである。
【００３３】
すなわち、ナット部材ＮＴを緩めた状態で、ベース部材１をスライド溝ＳＬに挿入し、最適に位置決めした状態で、ナット部材ＮＴを限界位置まで強く締め込む。なお、ナット部材ＮＴの締め込み作業は、ドライバなどの工具を使用することなく、手動操作で実行可能である。
【００３４】
続いて、六角レンチを使用して調整ネジ２３を緩めた後、ヘッドレストＲＥの支持棒ＢＡＲに、アーム部材２，２の円筒部２１，２１を通す。そして、アーム部材２，２の上下位置を適宜に設定した上で、調整ネジ２３を締め込むことで、アーム部材２，２が支持棒ＢＡＲに固定され、表示装置ＤＰの上下位置が確定される。
【００３５】
続いて、六角レンチを使用してボルト部材２２を緩め、表示装置ＤＰを正面視する作業姿勢において、表示装置ＤＰの左右一端を手前に引いて表示角度を傾斜させ、次に、表示装置ＤＰの他端を手前に引くことで、表示装置ＤＰを手前に前進させる。
【００３６】
図４は、この作業を説明する図面であり、図４（ａ）の初期状態において、紙面の上側に位置する操作者が、表示装置ＤＰの右端を手前に引く引張操作１を実行すれば、図４（ｂ）の状態を実現することができる。
【００３７】
次に、操作者が、引張操作２として、表示装置ＤＰの左端を手前に引けば、図４（ｂ）から図４（ｃ）の状態に移動させることができ、表示装置ＤＰの表示画面を操作者に正対させることができる。そして、その後も、引張操作１と引張操作２を繰り返すことで、表示装置ＤＰを更に引き出すことができる。
【００３８】
このように、本実施例によれば、表示装置ＤＰの左右端を交互に引張操作することで、表示装置ＤＰをジグザグ移動させることができ、最適な位置に表示装置ＤＰを位置決めすることができる。
【００３９】
因みに、ボルト部材２２と、支持棒ＢＡＲとの中心離間距離をＬとすると、アーム部材２の回転角θに対して、ボルト部材２２の操作者左右方向の移動量は、Ｌ＊（１−ＣＯＳ（θ））であるのに対して、ボルト部材２２の前後方向の移動量は、Ｌ＊ＳＩＮ（θ）であり、図４（ｃ）に示す３０°程度の回転角で、中心離間距離Ｌの５０％程度の前後移動が可能となる（図４（ｄ）参照）。
【００４０】
図４（ｄ）に示す通り、回転角３０°における左右移動量は、中心離間距離Ｌの１３％程度であるから、位置決め用の長穴ＨＯの左右長さをそれほど採らなくても、適切な前後移動量を確報することができる。
【００４１】
しかも、実施例の長穴ＨＯは、水平長穴Ｈ１の外方終端から直交方向に連続する連続穴Ｈ２を有しているので、この連続穴Ｈ２の分だけ、更に、前後移動量を大きく確保することができる。但し、連続穴Ｈ２は、必ずしも必須ではなく、また、水平長穴Ｈ１の長さも表示装置ＤＰの形状や大きさに対応して適宜に設定される。
【００４２】
以上、本考案の実施例について詳細に説明したが、具体的な記載内容は、特に本考案を限定するものではない。例えば、実施例では、取付装置ＦＸのベース部材１に、表示装置ＤＰを直接的に装着したが、何ら限定されず適宜に変更可能である。
【００４３】
例えば、タブレット端末などを収容可能な保持部材ＨＤ（図４（ｅ）参照）を、ベース部材１に取り付けることで、適宜な電子装置を、保持部材ＨＤに着脱自在に保持することができる。
【００４４】
また、ジグザグ移動による位置決めは、必ずしも必須ではない。図５は、ヘッドレストＲＥとの離間距離が固定化される第２実施例の取付装置ＦＸを説明する図面である。
【００４５】
この取付装置ＦＸは、図５（ａ）に示す通り、ヘッドレストＲＥの支持棒ＢＡＲが貫通可能な円筒穴５０，５０を設けた箱状の化粧部材ＭＫを有して構成される。そして、支持棒ＢＡＲを円筒穴５０，５０に貫通させた取付状態では、表示装置ＤＰと化粧部材ＭＫの断面視が略へ字状となる。なお、表示装置ＤＰは、別の化粧部材ＭＫ’によってフレーム枠状に覆われている。
【００４６】
この実施例は、第１実施例と同様のベース部材１を有して構成され、ベース部材１を、表示装置ＤＰのスライド溝ＳＬに固定することで、表示装置ＤＰと取付装置ＦＸとが一体化される。なお、この実施例では、化粧部材ＭＫを含めて取付装置ＦＸである。
【００４７】
図５（ｂ）に示す通り、ヒンジ部材ＨＧの構成も、第１実施例の場合と同様であり、その一部がベース部材１に固定され、他の一部が揺動部材３に固定されている。但し、この揺動部材３には、位置決め用の長穴ＨＯが設けられておらず、単純な断面Ｔ字状に直立形成されている。そして、揺動部材３の一部が化粧部材ＭＫの裏面に固定される一方、直立する別の一部が、受入穴ＣＲ，ＣＲを設けた連結板６０に固定されている。
【００４８】
この固定状態では、受入穴ＣＲ，ＣＲは、化粧部材ＭＫの円筒穴５０，５０に整合しており、受入穴ＣＲと円筒穴５０とが、第１実施例のアーム部材２の円筒部２１と同様に機能している。
【００４９】
すなわち、化粧部材ＭＫの円筒穴５０には、円筒穴５０の外周から内周に貫通して、調整ネジ２３が螺合されており、これを緩めると、化粧部材ＭＫを含む取付装置ＦＸの上下移動が可能となり、適宜な位置で調整ネジ２３を締め込むと表示装置ＤＰの位置決めが完了する。
【００５０】
この意味において、連結板６０は、化粧部材ＭＫ（円筒穴５０）と共に、支持棒ＢＡＲに規制されて上下移動可能なアーム部材を構成することになる。
【００５１】
この実施例も、揺動部材３は、適宜に揺動可能であるので、表示装置ＤＰの仰角について適宜に変更可能である。但し、極端な仰角を採ると、化粧部材ＭＫと表示装置ＤＰのフレームとの強接触による接触部の摩耗が問題となる。
【００５２】
そこで、この実施例では、ナット部材ＮＴと、ヒンジ部材ＨＧの取付ネジとの間に、仰角操作を制限する制限ワイヤＷＲが配置されている。
【００５３】
以上の通り、この実施例についても、前方座席のヘッドレストを有効活用して、簡易に、電子機器を後付することができる。
【００５４】
以上、表示装置ＤＰを中心に説明したが、保持部材ＨＤについても、図４（ｅ）に例示した構成に限定されず、適宜に変更可能である。
【００５５】
図６（ａ）及び図６（ｂ）は、タブレット端末ＴＡＢを三カ所で保持する保持部材ＨＤ１の使用状態を示す図面である。この保持部材ＨＤ１も、保持部材ＨＤ１に形成された開口穴ＯＰＮと、開口穴ＯＰＮを不完全に塞いでスライド溝ＳＬを形成する閉塞板ＰＴとを有して構成されている。そして、スライド溝ＳＬの入口には、挿入開口ＲＶが形成されている。
【００５６】
ところで、ここまで、スライド溝ＳＬを真っ直ぐに長く形成すると共に、水平方向に延びるスライド溝ＳＬに直交して、垂直方向に開口する挿入開口ＲＶを設ける構成を説明したが、何ら限定されない。すなわち、スライド溝ＳＬはそれほど長く形成する必要はなく、また、挿入開口ＲＶについても、スライド溝ＳＬや取付溝ＡＴに直交させる必要はなく、スライド溝と同一平面上に形成しても良い。
【００５７】
図６（ｃ）（ｄ）は、保持部材ＨＤ１とは別の保持部材ＨＤ２の使用状態を示す図面である。この保持部材ＨＤ２も、タブレット端末ＴＡＢを三カ所で保持するが、スライド溝と同一平面上でやや大きく開口された挿入開口ＲＶが形成されているに過ぎず、また、取付溝ＳＬのスライド寸法は長くない。但し、本発明の取付部材ＦＸを使用することで、ヘッドレストＲＥの後方、又は下方にタブレット端末ＴＡＢを配置することができる。
【符号の説明】
【００５８】
ＨＤ    保持部材
ＳＬ    スライド溝
ＤＰ    電子機器
１    ベース部材
ＢＡＲ  支持棒
２    アーム部材
ＨＧ    ヒンジ部材
３    揺動部材
ＯＰＮ  開口穴
ＰＴ    閉塞板
１０    内側板
１１    外側板
ＰＲ    突出部材
ＮＴ    嵌合部材
【図４】
0003199796.tif 000003
【図１】
0003199796.tif 000004
【図２】
0003199796.tif 000005
【図３】
0003199796.tif 000006
【図５】
0003199796.tif 000007
【図６】
0003199796.tif 000008